(57)【要約】【課題】操作部材のガタツキを防止できる電子機器を提供すること。【解決手段】ケース３の第一の開口部３４１および第二の開口部３４２に操作部材４が配置され、操作部材４と回路基板５との間に、操作部材４を支持する支持部材６が配置され、回路基板５には、被操作部７Ｂを有する電子部品７が設けられ、操作部材４は、操作部材本体部４Ａと、操作部材本体部４Ａに設けられた軸部４Ｂと、操作部材本体部４Ａの外周縁から軸部４Ｂの軸方向と直交する方向に延出してケース３のケース裏面に当接する延出部４Ｃとを有し、支持部材６は、操作部材本体部４Ａを支持する支持部材本体部６０と、軸部４Ｂが挿通される挿通孔６１１と、支持部材本体部６０から突出して形成され操作部４０と被操作部７Ｂとが離れる方向に操作部材４を付勢する付勢突起部６６と、支持部材本体部６０から突出し延出部４Ｃの周面部と当接して操作部材４の移動を規制する規制部６５とを有する。【選択図】図２
2020161435.tif 000002
【特許請求の範囲】
【請求項１】
開口部を有するケースと、
前記開口部に配置される操作部材と、
前記ケースに収納される回路基板と、
前記操作部材と前記回路基板との間に配置され、前記操作部材を支持する支持部材とを備え、
前記ケースは、前記ケースの外側の面であるケース表面と、前記ケースの内側の面であるケース裏面とを有し、
前記回路基板には、前記開口部に対応する位置に配置される被操作部を有する電子部品が設けられ、
前記操作部材は、被操作面を有する操作部材本体部と、前記操作部材本体部から前記被操作部に向かって突出し先端に前記被操作部と接触可能な操作部を有する軸部と、前記操作部材本体部の外周縁から前記軸部の軸方向と直交する方向に延出して前記ケース裏面に当接する延出部とを有し、
前記支持部材は、前記操作部材本体部を支持する支持部材本体部と、前記軸部が挿通される挿通孔と、前記支持部材本体部から前記回路基板に向かって突出し、前記軸方向に沿って前記操作部と前記被操作部とが離れる方向に前記操作部材を付勢する付勢突起部と、前記支持部材本体部から前記軸方向に沿って突出し、前記延出部の周面部と当接して、前記軸方向と直交する方向に対して前記操作部材の移動を規制する規制部と、を有する
ことを特徴とする電子機器。
【請求項２】
請求項１に記載の電子機器において、
前記ケースは、前記ケース裏面から前記支持部材に向けて突出する爪部を有し、
前記支持部材は、前記支持部材本体部に設けられ、前記爪部と係合可能な係合凹部を有し、前記爪部と前記規制部とで前記操作部材が位置決めされる
ことを特徴とする電子機器。
【請求項３】
請求項１または請求項２に記載の電子機器において、
前記支持部材は、前記挿通孔の周囲において、前記支持部材本体部から前記軸方向に突出した壁部を有し、
前記規制部は、前記付勢突起部に付勢されて、先端部が前記ケース裏面に当接する
ことを特徴とする電子機器。
【請求項４】
請求項１から請求項３のいずれか一項に記載の電子機器において、
復元力を有する弾性バルーンと、
前記弾性バルーンに接続される流路と、
前記流路に空気を供給する空気供給部と、
前記弾性バルーンおよび前記流路の内部の圧力を測定する圧力測定部と、備える
ことを特徴とする電子機器。
【発明の詳細な説明】
【技術分野】
【０００１】
本発明は、電子機器に関する。
【背景技術】
【０００２】
ケースの開口部に操作ボタンが配置された電子機器が知られている。
電子機器として、操作ボタンに位置決めリブを設け、ケースの開口部周辺に、位置決めリブと係合する位置決め溝を設けた従来例がある（特許文献１）。
特許文献１の従来例は、操作ボタンの押し込み方向と直交する方向に対するガタツキを防止できるようにしている。
【先行技術文献】
【特許文献】
【０００３】
【特許文献１】特開２０１７−５４５７８号公報
【発明の概要】
【発明が解決しようとする課題】
【０００４】
特許文献１の従来例では、操作ボタンの押し込み方向と直交する方向に対するガタツキを防止する位置決め溝がケースに設けられている。
ここで、操作ボタンは、操作される際にケースに対して相対的に移動することから、位置決めリブがケースの位置決め溝の壁面に接触していると、操作ボタンとケースとが擦れて操作性が悪化してしまう。
そのため、位置決めリブと位置決め溝の壁面との間には隙間が設けられているが、そうすると、当該隙間分のガタツキを防止できないといった問題があった。
【０００５】
本発明の目的は、操作部材のガタツキを防止できる電子機器を提供することにある。
【課題を解決するための手段】
【０００６】
本発明の電子機器は、開口部を有するケースと、前記開口部に配置される操作部材と、前記ケースに収納される回路基板と、前記操作部材と前記回路基板との間に配置され、前記操作部材を支持する支持部材とを備え、前記ケースは、前記ケースの外側の面であるケース表面と、前記ケースの内側の面であるケース裏面とを有し、前記回路基板には、前記開口部に対応する位置に配置される被操作部を有する電子部品が設けられ、前記操作部材は、被操作面を有する操作部材本体部と、前記操作部材本体部から前記被操作部に向かって突出し先端に前記被操作部と接触可能な操作部を有する軸部と、前記操作部材本体部の外周縁から前記軸部の軸方向と直交する方向に延出して前記ケース裏面に当接する延出部とを有し、前記支持部材は、前記操作部材本体部を支持する支持部材本体部と、前記軸部が挿通される挿通孔と、前記支持部材本体部から前記回路基板に向かって突出し、前記軸方向に沿って前記操作部と前記被操作部とが離れる方向に前記操作部材を付勢する付勢突起部と、前記支持部材本体部から前記軸方向に沿って突出し、前記延出部の周面部と当接して、前記軸方向と直交する方向に対して前記操作部材の移動を規制する規制部と、を有することを特徴とする。
【０００７】
本発明では、操作部材を支持する支持部材に、軸部の軸方向に沿って操作部と被操作部とが離れる方向に操作部材を付勢する付勢突起部が設けられる。電子機器を操作する者が指などで操作部材本体部の被操作面を付勢突起部の付勢力に抗して押すと、操作部材の軸部の先端にある操作部が電子部品の被操作部を押し込む。被操作面から指などが離されると、操作部材は、付勢突起部により、軸部の軸方向に沿って操作部と被操作部とが離れる方向に付勢される。そのため、操作部材の延出部が、支持部材本体部とケース裏面とで挟持されることになり、当該軸方向に対する操作部材のガタツキを防止できる。
また、支持部材には、支持部材本体部から軸部の軸方向に沿って突出し、延出部の周面部と当接して、軸方向と直交する方向に対して操作部材の移動を規制する規制部が設けられる。これにより、規制部は延出部の周面部と当接するので、操作部材の軸方向と直交する方向の移動が規制され、操作部材の当該軸方向と直交する方向のガタツキを防止することができる。
【０００８】
本発明では、前記ケースは、前記ケース裏面から前記支持部材に向けて突出する爪部を有し、前記支持部材は、前記支持部材本体部に設けられ、前記爪部と係合可能な係合凹部を有し、前記爪部と前記規制部とで前記操作部材が位置決めされる構成としてもよい。
この構成では、ケースから突出して設けられた爪部と係合する係合凹部が支持部材に設けられる。これにより、操作部材は、係合凹部および爪部と規制部とを介してケースに位置決めされるので、操作部材の軸部の軸方向と径方向とのガタツキを防止できる。
【０００９】
本発明では、前記支持部材は、前記挿通孔の周囲において、前記支持部材本体部から前記軸方向に突出した壁部を有し、前記規制部は、前記付勢突起部に付勢されて、先端部が前記ケース裏面に当接する構成としてもよい。
この構成では、支持部材本体部に壁部が設けられており、かつ、付勢突起部により、規制部の先端部がケース裏面に付勢される。これにより、アルコールや中性洗剤を浸した布でケースを洗浄する場合など、少量のアルコールや水などが操作部材と挿通孔との間から支持部材本体に浸入したとしても、支持部材本体部に設けられた壁部と規制部とによって、アルコールや水がケース内部に侵入することを阻止される。そのため、防水効果を得ることができる。
【００１０】
本発明では、復元力を有する弾性バルーンと、前記弾性バルーンに接続される流路と、前記流路に空気を供給する空気供給部と、前記弾性バルーンおよび前記流路の内部の圧力を測定する圧力測定部と、を備える構成としてもよい。
この構成では、空気供給部によって、空気が流路を通じて弾性バルーンに供給される。この状態で、被験者は、口にくわえた弾性バルーンを舌で押圧すると、弾性バルーンおよび流路の内部圧力が変化し、この変化した圧力の値が圧力測定部で測定される。
この舌圧測定のために、被験者、医師、看護師などの電子機器を操作する者が、操作部材本体部を付勢突起部の付勢力に抗して指などで押し込むと、操作部で電子部品の被操作部が押される。すると、電子部品から信号が空気供給部や圧力測定部に送られて舌圧測定が適正に行われる。
被験者などが被操作面から指などを離すと、付勢突起部の付勢力により、操作部材が被操作部から離れる方向に付勢される。そのため、延出部が支持部材本体部とケース裏面とで挟持されて操作部材のガタツキが防止される。さらに、規制部により、支持部材の軸方向と直交する方向の移動が規制されて、操作部材のガタツキが防止される。
従って、舌圧を測定する装置において、操作部材のガタツキを防止できる。
【図面の簡単な説明】
【００１１】
【図１】本発明の一実施形態にかかる電子機器の全体構成を示す正面図。
【図２】実施形態の分解斜視図。
【図３】実施形態の一部分を破断した斜視図。
【図４】支持部材の斜視図。
【図５】ケースの一部と支持部材の斜視図。
【発明を実施するための形態】
【００１２】
本発明の一実施形態を図面に基づいて説明する。
［電子機器の概要］
本実施形態の電子機器は、摂食・嚥下機能が低下した患者や高齢者などの被験者の舌圧を測定する装置である。
図１および図２には、電子機器の全体構成が示されており、図３には、電子機器の一部が破断された構成が開示されている。
図１から図３において、電子機器は、装置本体１と、装置本体１に接続され弾性バルーン２とを備えている。弾性バルーン２は、装置本体１に基端が接続されるチューブ２１と、チューブ２１の先端に設けられた復元力を有するバルーン本体２２とを有する。
装置本体１は、ケース３と、ケース３にそれぞれ設けられた操作部材４、回路基板５、支持部材６、電子部品７および測定ユニット８とを備えている。
【００１３】
ケース３は、それぞれ合成樹脂製の第一ケース体３１と第二ケース体３２とを有する。
第一ケース体３１は、表示部３３が設けられた平面矩形状の板面部３４と、板面部３４の外周に設けられた外周壁３５とを有する。
第二ケース体３２は、底面部３６と、底面部３６の外周に設けられた外周壁３７とを有する。第一ケース体３１の内部にはフック３１０（図５参照）が形成されており、フック３１０は回路基板５に係合される。
【００１４】
板面部３４には、平面楕円形状の第一の開口部３４１と、平面円形の第二の開口部３４２とが形成されている。本実施形態では、板面部３４のうち外部に露出する面がケース表面であり、ケース内部に対向する面がケース裏面である。
板面部３４には、第一の開口部３４１の周囲に沿って第一の爪部３８１が設けられ、第二の開口部３４２の周囲に沿って第二の爪部３８２が設けられている。
第一の爪部３８１は、第一の開口部３４１の開口中心を挟んで２つずつ（図２では２つのみ示す）配置されており、第二の爪部３８２は、第二の開口部３４２の開口中心を挟んで２つ（図２では１つのみ示す）配置されている。なお、第一の爪部３８１と第二の爪部３８２の数は限定されるものではなく、その数は、第一の爪部３８１と第二の爪部３８２の大きさや、第一の開口部３４１や第二の開口部３４２の大きさによって設定される。
【００１５】
［操作部材の構造］
操作部材４は、第一の開口部３４１に配置される第一ボタン４１と、第二の開口部３４２に配置される第二ボタン４２とを有する。
第一ボタン４１は、測定またはリセットを操作するためのボタンであり、第二ボタン４２は、電源をオンオフするためのボタンである。
第一ボタン４１は、操作部材本体部４Ａと、操作部材本体部４Ａの中心部に一体に形成された軸部４Ｂと、操作部材本体部４Ａの外周縁から軸部４Ｂの軸方向と直交する方向に延出する延出部４Ｃとを有する。
【００１６】
操作部材本体部４Ａは、第一の開口部３４１の平面形状に応じて外形が形成された板部４Ｄと、板部４Ｄの外周に形成された壁体部４Ｅとを有するキャップ状の部材である。板部４Ｄの外部に露出する面、つまり、表面は被験者などが指で操作部材４を操作するための被操作面４１０である。
延出部４Ｃは、板面部３４のケース裏面に当接可能とされ、壁体部４Ｅの外周に沿って形成されている。また、延出部４Ｃは、操作部材本体部４Ａが第一の開口部３４１に対して出没する際に、第一の爪部３８１との干渉を阻止する切欠部４Ｆが形成されている。
第二ボタン４２は、板部４Ｄの平面形状を除いて、第一ボタン４１と同様の構造である。つまり、第二ボタン４２は、操作部材本体部４Ａ、軸部４Ｂおよび延出部４Ｃを有するものであり、延出部４Ｃには、操作部材本体部４Ａが第二の開口部３４２に対して出没する際に、第二の爪部３８２との干渉を阻止する切欠部４Ｆが形成されている。
【００１７】
［回路基板の構造］
回路基板５は、第二ケース体３２に固定される。
回路基板５は、第一ケース体３１のフック３１０と係合される係合凹部５Ａを有する。
回路基板５のうち第一ケース体３１の板面部３４に対向する面には電子部品７が設けられており、反対側の面と第二ケース体３２との間には測定ユニット８が配置されている。回路基板５には電子部品７と測定ユニット８とを電気的に接続するための配線パターン（図示せず）が形成されている。
［電子部品の構造］
電子部品７は、第一ボタン４１に対応する第一の電子部品７１と、第二ボタン４２に対応する第二の電子部品７２とを有する。
第一の電子部品７１は、回路基板５に取り付けられる部品本体７Ａと、部品本体７Ａに出没自在に設けられる被操作部７Ｂとを有するタクトスイッチである。
被操作部７Ｂは、第一ボタン４１の軸部４Ｂの先端に形成される操作部４０に押し込まれると、信号を後述する演算部８５に送る。
第二の電子部品７２は、第一の電子部品７１と同様な構造を有するタクトスイッチであり、被操作部７Ｂが第二ボタン４２の操作部４０によって押し込まれると、電源がオンまたはオフされる。
【００１８】
［測定ユニットの構造］
図２において、測定ユニット８は、弾性バルーン２に接続される流路８１と、弾性バルーン２および流路８１の内部の圧力を測定する圧力測定部８３と、演算部８５とを備える。
圧力測定部８３は、流路８１に空気を供給する空気供給部８２と、流路８１の内部を流通する空気の圧力を検出する圧力検出部８４とを有する。
本実施形態では、空気供給部８２は、流路８１を通じて弾性バルーン２に空気を送るポンプである。
演算部８５は、流路８１に供給する空気の量を制御する制御部と、圧力検出部８４で検出された検出値に基づいて弾性バルーン２および流路８１の内部圧力を算出する算出部とを有するものであり、演算部８５で演算された圧力値は表示部３３で表示される。
【００１９】
［支持部材の構造］
支持部材６の具体的な構成が図４および図５に示されている。
図２から図５において、支持部材６は、第一ボタン４１と第二ボタン４２とを支持するものであって、操作部材４と回路基板５との間に配置されている。
支持部材６は、操作部材４を支持する支持部材本体部６０を備えている。
支持部材本体部６０は、第一ボタン４１の操作部材本体部４Ａを支持する第一支持体６１と、第二ボタン４２を支持する第二支持体６２と、第一支持体６１と第二支持体６２とを連結する連結片部６３とが一体に形成されている。
【００２０】
第一支持体６１は、操作部材本体部４Ａを支持する略板状の部材であり、その中心部に第一ボタン４１の軸部４Ｂを挿通する挿通孔６１１が形成されている。挿通孔６１１は第一ボタン４１の操作部材本体部４Ａの平面形状に合わせて楕円形に形成されている。
第一支持体６１の回路基板５に対向する面とは反対側の面には、挿通孔６１１の周辺に沿って壁部６４が環状に形成され、さらに、壁部６４の外周側に規制部６５が壁部６４と同心上に形成されている。
壁部６４と規制部６５との間のスペースは、第一ボタン４１の延出部４Ｃを収納するスペースとされている。
規制部６５は、第一ボタン４１を軸部４Ｂの軸方向と直交する方向の移動を規制するものであり、壁部６４と対向する壁面が延出部４Ｃの外周縁部と当接可能とされる。
【００２１】
第一支持体６１のうち回路基板５に対向する面には、回路基板５に向かって突出する付勢突起部６６が４個形成されている。なお、付勢突起部６６の数は限定されるものではなく、１個、２個、３個、５個以上であってもよい。付勢突起部６６の数は、第一支持体６１の大きさなどによって設定される。
第一支持体６１の付勢突起部６６が形成される面には凹部形成用突出部６０Ａが複数箇所、例えば、４箇所形成されている。
第一支持体６１のうち第一ケース体３１と対向する面であって凹部形成用突出部６０Ａに対応する部分には、第一の爪部３８１と係合可能な係合凹部６１０が形成されている。係合凹部６１０は、規制部６５に近接配置されている。
なお、凹部形成用突出部６０Ａの第一支持体６１からの寸法は、付勢突起部６６の第一支持体６１からの寸法より短い。
本実施形態では、支持部材６の全体が弾性材料で形成されている。そのため、支持部材６の一部を構成する付勢突起部６６は弾性を有する。
第一ボタン４１を支持した第一支持体６１が回路基板５に配置され、かつ、第一ケース体３１が第二ケース体３２に係合された状態では、付勢突起部６６によって、第一ボタン４１の軸部４Ｂの操作部４０を、第一の電子部品７１の被操作部７Ｂから離隔する方向に付勢するとともに、規制部６５の先端部を第一ケース体３１のケース裏面に当接する。
【００２２】
第二支持体６２は、第一支持体６１と同様の構造である。
つまり、第二支持体６２は、その中心部に第二ボタン４２の軸部４Ｂを挿通する挿通孔６１１が形成されている。挿通孔６１１は第二ボタン４２の操作部材本体部４Ａの平面形状に合わせて円形に形成されている。
第二支持体６２のうち第一ケース体３１側の面には、壁部６４と規制部６５とが形成され、回路基板５に対向する面には付勢突起部６６が複数、例えば、４個形成されている。
第二支持体６２の凹部形成用突出部６０Ａに対応する部分には、第二の爪部３８２と係合可能な係合凹部６２０が形成されている。係合凹部６２０は、規制部６５に近接配置されている。
ここで、第一の爪部３８１および第二の爪部３８２と規制部６５とで操作部材４が位置決めされる。
連結片部６３は、第一支持体６１と第二支持体６２とを連結する複数、例えば、２本の帯状部であり、これらの帯状部は、第一支持体６１と第二支持体６２の一方に力がかかっても、この力が他方に伝達しないようにするために、湾曲して形成されている。
【００２３】
［電子機器の操作］
次に、電子機器の操作方法について説明する。
まず、電子機器は、操作前では、支持部材６の付勢突起部６６によって、第一ボタン４１と第二ボタン４２との操作部材本体部４Ａが第一ケース体３１の開口部３４１，３４２から突出するように付勢されるとともに、規制部６５が第一ケース体３１のケース裏面に当接している。
舌圧測定をするため、被験者は、電子機器の装置本体１を手に持ち、あるいは、テーブルなどに置いた状態で、弾性バルーン２を口にくわえる。
そして、被験者、医師、看護師などの電子機器を操作する者は、指で、第二ボタン４２を第二支持体６２に形成された付勢突起部６６の付勢力に抗して押し込むと、第二ボタン４２の軸部４Ｂに形成された操作部４０が第二の電子部品７２の被操作部７Ｂを押し込んで電源をオンする。そして、第二ボタン４２を押し込んだ後、第一ボタン４１を第一支持体６１に形成された付勢突起部６６の付勢力に抗して押し込むと、第一ボタン４１の軸部４Ｂに形成された操作部４０が第一の電子部品７１の被操作部７Ｂを押し込んで測定ユニット８が作動する。つまり、空気供給部８２が作動して流路８１を通じて弾性バルーン２に空気が送られる。この状態で、被試験者が弾性バルーン２を舌で押すと、弾性バルーン２および流路８１の内部圧力が変化し、この変化した内部圧力が演算部８５で演算されて圧力値として表示部３３で表示される。
【００２４】
電子機器を操作する者は、電源がオンされたなら、第二ボタン４２から指を離し、舌圧測定が開始されたなら、第一ボタン４１から指を離す。すると、第一ボタン４１や第二ボタン４２は、支持部材６の付勢突起部６６の付勢力により、軸部４Ｂの軸方向に沿って操作部４０と被操作部７Ｂとが離れる方向に付勢される。
第一ボタン４１や第二ボタン４２の延出部４Ｃが、支持部材本体部６０と第一ケース体３１のケース裏面とで挟持される。第一ボタン４１や第二ボタン４２の延出部４Ｃが規制部６５の壁面に当接して軸方向と直交する方向の移動が規制される。
【００２５】
［実施形態の効果］
（１）ケース３の第一の開口部３４１および第二の開口部３４２に操作部材４が配置され、操作部材４と回路基板５との間に、操作部材４を支持する支持部材６が配置され、回路基板５には、被操作部７Ｂを有する電子部品７が設けられ、操作部材４は、操作部材本体部４Ａと、操作部材本体部４Ａに設けられた軸部４Ｂと、操作部材本体部４Ａの外周縁から軸部４Ｂの軸方向と直交する方向に延出してケース３のケース裏面に当接する延出部４Ｃとを有し、支持部材６は、操作部材本体部４Ａを支持する支持部材本体部６０と、軸部４Ｂが挿通される挿通孔６１１と、支持部材本体部６０から突出して形成され操作部４０と被操作部７Ｂとが離れる方向に操作部材４を付勢する付勢突起部６６と、支持部材本体部６０から突出した延出部４Ｃの周面部と当接して操作部材４の移動を規制する規制部６５と、を有する。そのため、付勢突起部６６によって、操作部材４の延出部４Ｃが、支持部材本体部６０とケース３のケース裏面とで挟持されることになり、さらに、規制部６５によって、操作部材４の軸部４Ｂの軸方向と直交する方向でのガタツキを防止できる。
【００２６】
（２）ケース３は、ケース裏面から支持部材６に向けて突出する第一の爪部３８１および第二の爪部３８２を有し、支持部材６は、支持部材本体部６０に設けられ第一の爪部３８１および第二の爪部３８２と係合可能な係合凹部６１０，６２０を有し、第一の爪部３８１および第二の爪部３８２と規制部６５とで操作部材４が位置決めされるため、操作部材４の軸部の軸方向と径方向とに沿ったガタツキを防止できる。
【００２７】
（３）支持部材６の挿通孔６１１の周囲において、支持部材本体部６０に壁部６４が設けられ、規制部６５は、付勢突起部６６に付勢されて先端部がケース３のケース裏面に当接する構成である。そのため、アルコールや中性洗剤を浸した布でケース３を洗浄する場合など、少量のアルコールなどが支持部材本体部６０に浸入したとしても、壁部６４と規制部６５とによってケース３の内部に侵入することが阻止される。そのため、優れた防水効果を得ることができる。
【００２８】
（４）電子機器は、復元力を有する弾性バルーン２と、弾性バルーン２に接続される流路８１と、流路８１に空気を供給する空気供給部８２と、弾性バルーン２および流路８１の内部の圧力を測定する圧力測定部８３とを備える。そのため、被験者などが舌圧測定のために、指で操作部材４を押したり、指を操作部材４から離したりするが、操作部材４から指を離すと、付勢突起部６６の付勢力により、操作部材４が被操作部７Ｂから離れる方向に付勢され、延出部４Ｃが支持部材本体部６０とケース裏面とで挟持されて操作部材４のガタツキが防止される。
【００２９】
（５）支持部材６を弾性材料で形成したため、付勢突起部６６を含めた支持部材６の全体を、射出成形などによって容易に成形することができる。
（６）支持部材本体部６０は、第一ボタン４１の操作部材本体部４Ａを支持する第一支持体６１と、第二ボタン４２を支持する第二支持体６２と、第一支持体６１と第二支持体６２とを連結し湾曲して形成された連結片部６３とを有する構成であるため、第一ボタン４１と第二ボタン４２との一方を操作した際に、第一支持体６１と第二支持体６２の一方が変形しても、この変形が連結片部６３によって第一支持体６１と第二支持体６２の他方に伝達されることを阻止できる。
【００３０】
（７）第一ボタン４１の延出部４Ｃには、操作部材本体部４Ａが第一の開口部３４１に対して出没する際に、第一の爪部３８１との干渉を阻止する切欠部４Ｆが形成され、同様に、第二ボタン４２の延出部４Ｃには、操作部材本体部４Ａが第二の開口部３４２に対して出没する際に、第二の爪部３８２との干渉を阻止する切欠部４Ｆが形成されている。そのため、支持部材６がケース３に支持された状態で、第一ボタン４１および第二ボタン４２の軸方向での移動が制限されない。
【００３１】
［変形例］
前記実施形態では、電子機器を被験者の舌圧を測定する舌圧測定装置としたが、本発明では、電子機器を、舌圧自体を測定する装置ではなく、舌圧強化トレーニングを行う装置としてもよい。ここで、舌圧強化トレーニング装置は、舌圧の測定値自体を表示部３３で表示するだけでなく、舌圧が標準値に達した場合に、音や図形、色で知らせることで、被験者が飽きることなく、訓練を行える装置である。
さらに、本発明は、舌圧測定や舌圧強化トレーニングに関する装置に限定されるものではなく、血圧計、その他の電子機器に適用することができる。
【００３２】
仮に、電子機器を舌圧測定装置や舌圧強化トレーニング装置としても、空気供給部をポンプに限定することを要しない。本発明では、空気供給部を、弾性バルーンが変形して弾性バルーンおよび連通流路部の内部の圧力が高くなった時に弾性バルーンおよび連通流路部の空気が外部に流出することを阻止し、弾性バルーンが復元して弾性バルーンおよび連通流路部の内部の圧力が低くなった時に弾性バルーンおよび連通流路部に外部から空気が流入することを許容する逆止弁としてもよい。この逆止弁として、基側から先端に向けて収束するように延出した一対の傾斜リップ部と、傾斜リップ部の先端の合せ面に設けられたスリットとを備えたダックビルバルブを例示することができる。
【００３３】
前記実施形態では、支持部材６の全体を弾性材料で形成したが、本発明では、付勢突起部６６のみを弾性材料で形成し、支持部材６を構成する付勢突起部６６以外の材料を硬質な材料としてもよい。
また、本発明では、操作部材４を１つのボタンから構成してもよく、あるいは、３つ以上のボタンから構成してもよい。
操作部材４を複数のボタンから構成する場合、支持部材本体部６０は、複数のボタンをそれぞれ支持する支持体部が必要とされるが、この際、支持体部同士を連結する連結片部は、湾曲して形成されるものに限定されない。
【符号の説明】
【００３４】
１…装置本体、２…弾性バルーン、３…ケース、３１…第一ケース体、３２…第二ケース体、３４…板面部、３４１…第一の開口部、３４２…第二の開口部、３５…外周壁、３６…底面部、３７…外周壁、３８１…第一の爪部、３８２…第二の爪部、４…操作部材、４０…操作部、４１…第一ボタン、４２…第二ボタン、４１０…被操作面、４Ａ…操作部材本体部、４Ｂ…軸部、４Ｃ…延出部、４Ｄ…板部、４Ｅ…壁体部、４Ｆ…切欠部、５…回路基板、６…支持部材、６０…支持部材本体部、６１…第一支持体、６１０…係合凹部、６１１…挿通孔、６２…第二支持体、６２０…係合凹部、６３…連結片部、６４…壁部、６５…規制部、６６…付勢突起部、７…電子部品、７１…第一の電子部品、７２…第二の電子部品、７Ａ…部品本体、７Ｂ…被操作部、８…測定ユニット、８１…流路、８２…空気供給部、８３…圧力測定部、８４…圧力検出部、８５…演算部
【図１】
2020161435.tif 000003
【図２】
2020161435.tif 000004
【図３】
2020161435.tif 000005
【図４】
2020161435.tif 000006
【図５】
2020161435.tif 000007